【手続補正書】
【提出日】平成25年5月29日(2013.5.29)
【手続補正１】
【補正対象書類名】特許請求の範囲
【補正対象項目名】全文
【補正方法】変更
【補正の内容】
【特許請求の範囲】
【請求項１】
入力された左眼画像および右眼画像のそれぞれに対して視差調整処理を行う視差調整部と、
前記視差調整部により視差が調整された左眼画像および右眼画像を表示する表示部と
を備え、
前記視差調整部は、前記入力された左眼画像および右眼画像のそれぞれのうち、ＯＳＤ画像が重畳されているＯＳＤ画像領域以外の領域についてのみ前記視差調整処理を行う
立体表示装置。
【請求項２】
左眼画像および右眼画像のそれぞれに前記ＯＳＤ画像を重畳するとともに、前記ＯＳＤ画像領域を示すＯＳＤ領域情報を生成し、前記ＯＳＤ画像が重畳された左眼画像および右眼画像と前記ＯＳＤ領域情報とを前記視差調整部に供給する重畳部をさらに備え、
前記視差調整部は、前記ＯＳＤ領域情報に基づいて前記ＯＳＤ画像領域以外の領域を認識する
請求項１に記載の立体表示装置。
【請求項３】
ＯＳＤ画像が重畳された前記左眼画像および前記右眼画像と、前記ＯＳＤ画像の領域を示すＯＳＤ領域情報とを入力する入力部をさらに備え、
前記視差調整部は、前記ＯＳＤ領域情報に基づいて前記ＯＳＤ画像領域以外の領域を認識する
請求項１に記載の立体表示装置。
【請求項４】
前記視差調整部の前記視差調整処理は、前記入力された左眼画像および右眼画像のそれぞれに対して画像シフト処理を行うことを含む
請求項１に記載の立体表示装置。
【請求項５】
前記視差調整部は、前記画像シフト処理の結果、前記ＯＳＤ画像領域に隣接する隣接領域の左眼画像および右眼画像が失われる場合に、その隣接領域に接する領域の前記ＯＳＤ画像を、前記隣接領域に補間する
請求項４に記載の立体表示装置。
【請求項６】
前記視差調整部は、前記画像シフト処理の結果、前記ＯＳＤ画像領域に隣接する隣接領域の左眼画像および右眼画像が失われる場合に、前記ＯＳＤ画像領域とそれ以外の画像領域との間の境界領域の画像に対し、前記画像シフト処理のシフト方向における位置座標によってシフト量が漸次変化するように前記画像シフト処理を行う
請求項４に記載の立体表示装置。
【請求項７】
前記画像シフト処理は、あらかじめ設定された一定のシフト量と、前記画像シフト処理のシフト方向における位置座標範囲のうち前記境界領域に対応する範囲でのみ値が変化するシフト処理関数との積に基づいて行われる
請求項６に記載の立体表示装置。
【請求項８】
前記シフト処理関数は、前記ＯＳＤ画像領域のうち前記境界領域を除いた領域では０を示し、前記ＯＳＤ画像領域以外の画像領域のうち前記境界領域を除いた領域では１を示す
請求項７に記載の立体表示装置。
【請求項９】
前記ＯＳＤ画像は透過性であり、
前記ＯＳＤ画像の画像領域には、重畳される前の左眼画像および右眼画像が透過して表示されている
請求項６に記載の立体表示装置。
【請求項１０】
入力された左眼画像および右眼画像のそれぞれのうち、前記ＯＳＤ画像領域以外の領域についてのみ視差調整処理を行い、
その視差調整処理が行われた左眼画像および右眼画像を表示する
立体表示装置の表示方法。
【手続補正２】
【補正対象書類名】明細書
【補正対象項目名】０００８
【補正方法】変更
【補正の内容】
【０００８】
本発明の立体表示装置は、視差調整部と、表示部とを備えている。視差調整部は、入力された左眼画像および右眼画像のそれぞれに対して視差調整処理を行うものである。表示部は、視差調整部により視差が調整された左眼画像および右眼画像を表示するものである。上記視差調整部は、入力された左眼画像および右眼画像のそれぞれのうち、ＯＳＤ画像が重畳されているＯＳＤ画像領域以外の領域についてのみ視差調整処理を行う機能を有している。
【手続補正３】
【補正対象書類名】明細書
【補正対象項目名】０００９
【補正方法】変更
【補正の内容】
【０００９】
本発明の立体表示装置の表示方法は、入力された左眼画像および右眼画像のそれぞれのうち、ＯＳＤ画像領域以外の領域についてのみ視差調整処理を行い、その視差調整処理が行われた左眼画像および右眼画像を表示するものである。
【手続補正４】
【補正対象書類名】明細書
【補正対象項目名】００１０
【補正方法】変更
【補正の内容】
【００１０】
本発明の立体表示装置、および立体表示装置の表示方法では、左眼画像および右眼画像に対して視差調整処理が行われる。その際、入力された左眼画像および右眼画像のそれぞれのうち、ＯＳＤ画像領域以外の領域についてのみ視差調整処理が行われる。
【手続補正５】
【補正対象書類名】明細書
【補正対象項目名】００１１
【補正方法】変更
【補正の内容】
【００１１】
本発明の立体表示装置では、例えば、左眼画像および右眼画像のそれぞれにＯＳＤ画像を重畳するとともに、ＯＳＤ画像領域を示すＯＳＤ領域情報を生成し、ＯＳＤ画像が重畳された左眼画像および右眼画像とＯＳＤ領域情報とを視差調整部に供給する重畳部をさらに備え、視差調整部は、ＯＳＤ領域情報に基づいてＯＳＤ画像領域以外の領域を認識するようにしてもよい。また、例えば、ＯＳＤ画像が重畳された左眼画像および右眼画像と、ＯＳＤ画像の領域を示すＯＳＤ領域情報とを入力する入力部をさらに備え、視差調整部は、ＯＳＤ領域情報に基づいてＯＳＤ画像領域以外の領域を認識するようにしてもよい。
【手続補正６】
【補正対象書類名】明細書
【補正対象項目名】００１２
【補正方法】変更
【補正の内容】
【００１２】
視差調整部の視差調整処理は、例えば、入力された左眼画像および右眼画像のそれぞれに対して画像シフト処理を行うことを含むことができる。画像シフト処理の結果、ＯＳＤ画像領域に隣接する隣接領域の左眼画像および右眼画像が失われる場合には、例えば以下の２つの方法によりその隣接領域に対する処理を行うようにしてもよい。第１の方法では、視差調整部は、その隣接領域に接する領域のＯＳＤ画像を、隣接領域に補間する。第２の方法では、視差調整部は、ＯＳＤ画像領域とそれ以外の画像領域との間の境界領域の画像に対し、画像シフト処理のシフト方向における位置座標によってシフト量が漸次変化するように画像シフト処理を行う。ここで、「漸次変化する」とは、なめらかに変化するものであってもよいし、段階的に変化するものであってもよい。
【手続補正７】
【補正対象書類名】明細書
【補正対象項目名】００１３
【補正方法】変更
【補正の内容】
【００１３】
第２の方法を用いる場合、画像シフト処理は、例えば、あらかじめ設定された一定のシフト量と、画像シフト処理のシフト方向における位置座標範囲のうち境界領域に対応する範囲でのみ値が変化するシフト処理関数との積に基づいて行われるようにしてもよい。この場合、シフト処理関数は、例えば、ＯＳＤ画像領域のうち境界領域を除いた領域では０を示し、ＯＳＤ画像領域以外の画像領域のうち境界領域を除いた領域では１を示すものであることが望ましい。上記第２の方法では、例えば、ＯＳＤ画像は透過性であり、ＯＳＤ画像の画像領域には、重畳される前の左眼画像および右眼画像が透過して表示されていてもよい。
【手続補正８】
【補正対象書類名】明細書
【補正対象項目名】００１４
【補正方法】変更
【補正の内容】
【００１４】
本発明の立体表示装置および立体表示装置の表示方法によれば、ＯＳＤ画像領域以外の領域についてのみ視差調整処理を行うようにしたので、立体映像の視差制御が行われた状態でも、ＯＳＤ画像の視認性の低下を最低限に抑えることができる。
【手続補正９】
【補正対象書類名】明細書
【補正対象項目名】００２４
【補正方法】変更
【補正の内容】
【００２４】
図２は、表示画面上におけるＯＳＤ画像Ｒｏの表示領域とＯＳＤマスク信号Ｓｍとの関係を表すものであり、（Ａ）はＯＳＤ画像Ｒｏが重畳された左眼画像ＰＬおよび右眼画像ＰＲを示し、（Ｂ）はＯＳＤマスク信号Ｓｍを表示画面上に示している。この例では、図２（Ａ）に示したように、互いに視差がある左眼画像および右眼画像の上部にＯＳＤ画像Ｒｏが配置されている。この場合、ＯＳＤマスク信号Ｓｍは、図２（Ｂ）に示したように、ＯＳＤ画像Ｒｏが配置された領域において“１”となり、それ以外の領域において“０”となっている。
【手続補正１０】
【補正対象書類名】明細書
【補正対象項目名】００４４
【補正方法】変更
【補正の内容】
【００４４】
図５（Ｂ）に示したように、視差制御処理部４２Ｌ，４２Ｒにおいて、左眼画像ＰＬを視差量Ａだけ左方向に画像シフトし、右眼画像ＰＲを視差量Ａだけ右方向に画像シフトするように視差調整を行うと、シャッタ眼鏡６０をかけてこれらの画像を観察する観察者９は、その視差量Ａに応じて画面が引っ込んだように感じることとなる。これとは反対に、視差制御処理部４２において、左眼画像ＰＬを視差量Ａだけ右方向に画像シフトし、右眼画像ＰＲを視差量Ａだけ左方向に画像シフトするように視差調整を行うと、この観察者９は、その視差量Ａに応じて画面が飛び出たように感じることとなる。
【手続補正１１】
【補正対象書類名】図面
【補正対象項目名】図１
【補正方法】変更
【補正の内容】
【図１】
2012010047.tif 000001
【手続補正１２】
【補正対象書類名】図面
【補正対象項目名】図６
【補正方法】変更
【補正の内容】
【図６】
2012010047.tif 000002
【手続補正１３】
【補正対象書類名】図面
【補正対象項目名】図７
【補正方法】変更
【補正の内容】
【図７】
2012010047.tif 000003
【手続補正１４】
【補正対象書類名】図面
【補正対象項目名】図８
【補正方法】変更
【補正の内容】
【図８】
2012010047.tif 000004
【手続補正１５】
【補正対象書類名】図面
【補正対象項目名】図１０
【補正方法】変更
【補正の内容】
【図１０】
2012010047.tif 000005